(57)【要約】      （修正有）【課題】特別な電気回路を用いることなく電気機器からの音声と自声とを使用者の耳に伝えることが可能な自声伝達ヘッドホン及び自声伝達ヘッドセットを提供する。【解決手段】電気機器１からの音声信号を実音声として出力する音声出力部３０と、前記音声出力部を収容するとともに使用者の耳を覆う収容部４０と、使用者の口の前方に延び使用者の自声を前記収容部に伝達する自声伝達部５０と、前記音声出力部に設けられ前記収容部に伝達した自声を耳側に伝える貫通孔３８と、を有することを特徴とする。【選択図】図１
0003191008.tif 000002
【実用新案登録請求の範囲】
【請求項１】
電気機器からの音声信号を実音声として出力する音声出力部と、
前記音声出力部を収容するとともに使用者の耳を覆う収容部と、
使用者の口の前方に延び使用者の自声を前記収容部に伝達する自声伝達部と、
前記音声出力部に設けられ前記収容部に伝達した自声を耳側に伝える貫通孔と、
を有することを特徴とする自声伝達ヘッドホン。
【請求項２】
電気機器からの音声を使用者の耳に出力するとともに、自声伝達部を介して収容部に伝達された使用者の自声を貫通孔を通して使用者の耳に伝えることを特徴とする請求項１記載の自声伝達ヘッドホン。
【請求項３】
音声出力部が耳掛け式のヘッドホンであるとともに、
自声伝達部が収容部内に伸縮可能なことを特徴とする請求項１または請求項２記載の自声伝達ヘッドホン。
【請求項４】
請求項１乃至請求項３のいずれかに記載の自声伝達ヘッドホンに、使用者の自声を電気機器側に出力するマイク装置を設けたことを特徴とする自声伝達ヘッドセット。
【考案の詳細な説明】
【技術分野】
【０００１】
本考案は、電気機器からの音声と自声とを使用者自身の耳で聞くことが可能な自声伝達ヘッドホン及び自声伝達ヘッドセットに関するものである。
【背景技術】
【０００２】
例えば外国語等の学習では、磁気テープや光ディスク等に記録された外国語学習教材を再生機器で再生し、学習者はその教材の指示に従って実際に外国語を発話して練習することが効果的である。しかしながら、羞恥心や周囲への遠慮からこの発声を小声で行う学習者も多い。この場合、自分の発声を学習者自身の耳で聞き取ることが難しく、高い学習効果を得ることができないという問題点がある。
【０００３】
この問題点に対し、下記［特許文献１］では、使用者が発声した自声をマイクで取り込み、学習教材の音声出力を行うヘッドホンから出力する英会話練習装置に関する考案が開示されている。
【先行技術文献】
【特許文献】
【０００４】
【特許文献１】実用新案登録第３０８５１２６号公報
【考案の概要】
【考案が解決しようとする課題】
【０００５】
しかしながら、［特許文献１］に記載の考案のように、使用者の自声もヘッドホンから出力する外国語練習装置は、自声を音声信号ラインに重畳するミキサ回路やマイク等が必要となり、従来のヘッドホンよりも高価になるという問題点がある。特に生徒数の多い外国語教室等では、生徒数の数だけヘッドホンが必要となるため多額の導入コストが必要となる。
【０００６】
本考案は上記事情に鑑みてなされたものであり、特別な電気回路を用いることなく電気機器からの音声と自声とを使用者の耳に伝えることが可能な自声伝達ヘッドホン及び自声伝達ヘッドセットを提供することを目的とする。
【課題を解決するための手段】
【０００７】
本考案は、
（１）電気機器１からの音声信号を実音声として出力する音声出力部３０と、
前記音声出力部３０を収容するとともに使用者の耳を覆う収容部４０と、
使用者の口の前方に延び使用者の自声を前記収容部４０に伝達する自声伝達部５０と、
前記音声出力部３０に設けられ前記収容部４０に伝達した自声を耳側に伝える貫通孔３８と、
を有することを特徴とする自声伝達ヘッドホン８０を提供することにより、上記課題を解決する。
（２）電気機器１からの音声を使用者の耳に出力するとともに、自声伝達部５０を介して収容部４０に伝達された使用者の自声を貫通孔３８を通して使用者の耳に伝えることを特徴とする上記（１）記載の自声伝達ヘッドホン８０を提供することにより、上記課題を解決する。
（３）音声出力部３０が耳掛け式のヘッドホンであるとともに、
自声伝達部５０が収容部４０内に伸縮可能なことを特徴とする上記（１）または（２）記載の自声伝達ヘッドホン８０を提供することにより、上記課題を解決する。
（４）上記（１）乃至（３）のいずれかに記載の自声伝達ヘッドホン８０に、使用者の自声を電気機器側に出力するマイク装置８２を設けたことを特徴とする自声伝達ヘッドセット９０を提供することにより、上記課題を解決する。
【考案の効果】
【０００８】
本考案に係る自声伝達ヘッドホン及び自声伝達ヘッドセットは、特別な電気回路を用いずに電気機器からの再生音声と使用者の自声とを使用者の耳に伝達することができる。これにより、学習効果の高い自声伝達ヘッドホン（自声伝達ヘッドセット）を安価に提供することができる。
【図面の簡単な説明】
【０００９】
【図１】本考案に係る自声伝達ヘッドホンの正面図である。
【図２】本考案に係る自声伝達ヘッドホンの側面図である。
【図３】音声出力部を使用者の耳に設置した状態を示す図である。
【図４】本考案に係る自声伝達ヘッドホンの使用例を示す正面図である。
【図５】本考案に係る自声伝達ヘッドホンの使用例を示す側面図である。
【図６】本考案に係る自声伝達ヘッドセットの側面図である。
【考案を実施するための形態】
【００１０】
先ず、本考案に係る自声伝達ヘッドホン８０の実施の形態について図面に基づいて説明する。図１は、本考案に係る自声伝達ヘッドホン８０の正面図である。また、図２は、本考案に係る自声伝達ヘッドホン８０の側面図である。
【００１１】
図１、図２に示す本考案に係る自声伝達ヘッドホン８０は、電気機器１からの音声信号を実音声として出力する左右の音声出力部３０と、この音声出力部３０を収容するとともに使用者の耳をそれぞれ覆う左右の収容部４０と、使用者の口の前方に延び使用者の自声を収容部４０に伝達する自声伝達部５０と、を有している。
【００１２】
電気機器１は、カセットデッキ、光ディスクプレーヤ、ハードディスクプレーヤ、コンピュータ端末、スマートフォン、ラジオ等の周知の電気機器であり、磁気テープや光ディスク、ハードディスク、半導体メモリ、インターネットやイントラネット上のサーバ等に記録されている音声信号、放送電波等を再生してイヤホンジャック等の音声出力端子に出力する。
【００１３】
また、自声伝達ヘッドホン８０の音声出力部３０は、接続プラグ３２と、音声出力手段３６と、音声出力部３０の外側から耳側に貫通した貫通孔３８と、音声出力部３０を使用者の耳に設置するための保持部材３９と、を有している。尚、保持部材３９は使用者の耳に掛けて音声出力部３０を保持する耳掛け式の保持部材３９を用いることが好ましい。また、本考案の音声出力部３０は、既存の耳掛け式ヘッドホンに貫通孔３８を穿孔することでも作製が可能である。そして、接続プラグ３２は電気機器１の音声出力端子に接続することで、電気機器１において再生された音声信号を音声出力手段３６に伝達する。また、音声出力手段３６は周知のスピーカや圧電体等の部材であり、電気機器１からの音声信号を実音声に変換して出力する。
【００１４】
自声伝達ヘッドホン８０の収容部４０は略ドーム型を呈しており、音声出力部３０の設置された使用者の耳を音声出力部３０ごと覆うことが可能な十分な収容空間を有している。また、収容部４０の先側（自声伝達部５０の設置側）には開口部４６が形成され、自声伝達部５０で反響した自声を収容部４０内に伝達する。また、左右の収容部４０はヘッドバンド４２で繋がれるとともに、このヘッドバンド４２を使用者の頭部に掛けることで、左右の収容部４０を使用者の耳部を覆った状態で保持する。尚、ヘッドバンド４２は長さ調節が可能なものを用いることが好ましい。また、ヘッドバンド４２と収容部４０とは使用者の頭部形状に対応して可動する接続部４４を介して接続することが好ましい。さらに、使用者の肌と接触する収容部４０の周縁部には、柔らかで弾力を有するイヤーパット４８を設置し、収容部４０と使用者との密着性を向上させることが好ましい。
【００１５】
自声伝達ヘッドホン８０の自声伝達部５０は収容部４０の先側に設置され、使用者の口の前方にまで延びた断面略円弧状の板状部材で構成することが好ましい。尚、自声伝達部５０は収容部４０内に収容可能とし、収容部４０に対して伸縮可能とすることが好ましい。この構成によれば、自声伝達部５０を収容部４０内に収容することで、自声伝達ヘッドホン８０の保管を省スペースで行うことができる。また、保管時における自声伝達部５０の変形を防止することができる。尚、自声伝達部５０を収容部４０に着脱可能として、使用者の年齢等によって長さの異なる自声伝達部５０を適宜選択して設置するようにしても良い。
【００１６】
次に、自声伝達ヘッドホン８０の使用方法を説明する。尚、ここでは電気機器１が外国語教材を再生出力し、使用者が外国語教材の再生音声を聴取した後、外国語教材の指示に従って自声を発声する例を説明する。ただし、本考案の使用方法はこれに限定されるわけではなく、例えばカラオケや朗読等の練習その他にも使用することが可能である。
【００１７】
先ず、図３に示すように、音声出力部３０を使用者の両耳に設置する。このとき、音声出力部３０が耳掛け式のヘッドホンの場合には、音声出力部３０の保持部材３９を使用者の耳に引掛けることで、音声出力部３０を使用者の両耳に保持する。次に、音声出力部３０の接続プラグ３２を電気機器１の音声出力端子に接続する。
【００１８】
次に、音声出力部３０を使用者の耳に設置した状態のまま、収容部４０を使用者の耳と音声出力部３０とを覆うよう被せる。そして、ヘッドバンド４２等を調節して、収容部４０をこの状態で保持する。次に、左右の収容部４０に設置された自声伝達部５０を収容部４０内から適度に引出し、図４、図５に示すように、左右の自声伝達部５０を使用者の口の前に位置させる。
【００１９】
次に、電気機器１を操作して外国語教材の音声データを再生する。これにより、電気機器１は外国語教材の音声信号を音声出力端子から出力する。音声出力端子から出力された音声信号は接続プラグ３２を介して音声出力手段３６に入力する。そして、音声出力手段３６にて実音声に変換され使用者の耳に出力される。これにより、使用者は外国語教材の再生音声を聞くことができる。
【００２０】
次に、使用者は例えば再生された外国語教材の内容に沿って自声を発し、外国語の発音練習を行う。この際、使用者の自声は自声伝達部５０に当たり、自声伝達部５０自身の音伝導及び反響により収容部４０内に伝達される。収容部４０に伝達された使用者の自声は略ドーム型の収容部４０の内壁面によって反響し、音声出力部３０に形成された貫通孔３８を通って使用者の耳に伝達する。これにより、使用者はたとえ自身の発した自声が小さくとも、自身の発した自声を自分の耳で確実に聞くことができる。そしてこのシャドーイングやリピーティング等の発話練習により、外国語の学習等を効果的に行うことができる。
【００２１】
次に、本考案に係る自声伝達ヘッドセット９０の構成を説明する。図６に示す自声伝達ヘッドセット９０は、本考案に係る自声伝達ヘッドホン８０に使用者の自声を電気機器側に出力するマイク装置８２を備えている。この自声伝達ヘッドセット９０は例えばインターネットを介して行うオンライン外国語学習に好適なものである。
【００２２】
次に、自声伝達ヘッドセット９０の使用方法をパーソナルコンピュータ３を用いたオンライン外国語学習を例に説明する。先ず、使用者が自声伝達ヘッドセット９０を装着する。自声伝達ヘッドセット９０の装着方法は自声伝達ヘッドホン８０と全く同様である。次に、マイク装置８２と接続した接続プラグ３３をパーソナルコンピュータ３（電気機器１）のマイク入力端子に接続する。次に、使用者はインターネットを介してオンライン外国語教室にアクセスする。次に、オンライン外国語教室が講師の画像と音声とによる授業を行う。このときのオンライン外国語教室の講師や教材の音声はパーソナルコンピュータ３を介して音声出力部３０から出力される。
【００２３】
次に、使用者は例えば講師の指示に従って自声を発し、外国語の発音練習を行う。このときの使用者の自声はマイク装置８２、パーソナルコンピュータ３、インターネットを介してオンライン外国語教室に伝達される。この使用者の自声に対して講師は指導を行い、オンライン外国語教室の授業が進行する。
【００２４】
そして、自声伝達ヘッドセット９０では、この際発した使用者の自声が自声伝達部５０によって収容部４０内に伝達され、音声出力部３０に形成された貫通孔３８を通って使用者の耳に伝達する。
【００２５】
ここで、従来のヘッドセットでは、使用者はヘッドホンに形成された貫通孔を通して自身の自声を聴取していた。このため、自声が聞き取りにくい他、周囲の雑音も聞こえるという問題点があった。しかしながら、本考案に係る自声伝達ヘッドセット９０は、使用者の自声が自声伝達部５０によって収容部４０内に伝達され貫通孔３８を通して使用者の耳に届くため、自身の発した自声をクリア且つ鮮明に聞き取ることができる。
【００２６】
以上のように、本考案に係る自声伝達ヘッドホン８０及び自声伝達ヘッドセット９０は、収容部４０で使用者の耳と音声出力部３０とを覆う。そして、音声出力部３０は従来のヘッドホンと同様に電気機器１からの外国語教材等の再生音声を使用者の耳に出力する。また、自声伝達ヘッドホン８０及び自声伝達ヘッドセット９０は自声伝達部５０を有しており、使用者が発した自声を収容部４０内に伝達する。収容部４０内に伝達した自声は音声出力部３０の貫通孔３８を通して使用者の耳に伝えられる。これにより、使用者は自身の発した自声を聞くことができる。
【００２７】
このように、本考案に係る自声伝達ヘッドホン８０及び自声伝達ヘッドセット９０は、電気機器１からの再生音声と使用者が発した自声との両方を聴取することができる。特に、使用者の自声は自声伝達部５０を介して収容部４０内に効率的に伝達されるため、使用者の自声が小さくとも自身の発した自声を確実に聞くことができる。これにより、外国語の学習等を効果的に行うことができる。
【００２８】
また、本考案に係る自声伝達ヘッドホン８０及び自声伝達ヘッドセット９０は、自声の伝達を板状部材である自声伝達部５０により行う。このため、特別な電気回路を必要せず、従来の電気機器１に接続が可能な他、自声伝達ヘッドホン８０及び自声伝達ヘッドセット９０を安価に提供することができる。
【００２９】
尚、上記に示した自声伝達ヘッドホン８０及び自声伝達ヘッドセット９０の各部の形状、寸法、構成、機構等は一例であるから、上記の例に限定されるわけでは無く、本考案は本考案の要旨を逸脱しない範囲で変更して実施することが可能である。
【符号の説明】
【００３０】
１      電気機器
３０    音声出力部
４０    収容部
５０    自声伝達部
３８    貫通孔
８０    自声伝達ヘッドホン
８２    マイク装置
９０    自声伝達ヘッドセット
【図１】
0003191008.tif 000003
【図２】
0003191008.tif 000004
【図３】
0003191008.tif 000005
【図４】
0003191008.tif 000006
【図５】
0003191008.tif 000007
【図６】
0003191008.tif 000008